(57)【要約】【課題】  浴室と洗面室の両方側から、収納部品やリモコン等を設けることのできる間仕切構造を提供する。【解決手段】  浴室１と洗面室２を隔てる間仕切壁４に開口４ａを設け、開口４ａ内を、横桟木５と縦桟木６を介して、複数のブロック状空間Ｓ１，Ｓ１，Ｓ１に分割し、各ブロック状空間Ｓ１，Ｓ１，Ｓ１内にそれぞれ収納部品を嵌め込むことができるように構成する。【選択図】  図１
2005068784.tif 000002
【特許請求の範囲】
【請求項１】
浴室と洗面室を隔てる間仕切壁に開口を設け、該開口内を桟板を介して複数のブロック状空間に分割し、各ブロック状空間内に収納部品を嵌め込むことができるように構成したことを特徴とする浴室と洗面室間の間仕切構造。
【請求項２】
前記収納部品に、浴室側空間と洗面室側空間とに仕切る仕切壁を設けたことを特徴とする請求項１に記載の浴室と洗面室間の間仕切構造。
【請求項３】
前記ブロック状空間内に、浴室側と洗面室側からそれぞれ収納部品を嵌め込んだことを特徴とする請求項１に記載の浴室と洗面室間の間仕切構造。
【請求項４】
浴室と洗面室を隔てる間仕切壁に開口を設け、該開口内を桟板を介して複数のブロック状空間に分割し、ブロック状空間内に、浴室内に設けられる機器を浴室側へ向けて嵌め込んだことを特徴とする浴室と洗面室間の間仕切構造。
【請求項５】
浴室と洗面室を隔てる間仕切壁に開口を設け、該開口内を桟板を介して複数のブロック状空間に分割し、ブロック状空間内に、洗面室内に設けられる機器を洗面室側へ向けて嵌め込んだことを特徴とする浴室と洗面室間の間仕切構造。
【請求項６】
前記間仕切壁の洗面室側の桟板に、洗面室の壁仕上材と同材の壁材を貼着したことを特徴とする請求項１または請求項４または請求項５に記載の浴室と洗面室間の間仕切構造。
【発明の詳細な説明】
【技術分野】
【０００１】
本発明は、浴室と洗面室間の間仕切構造に関するものである。
【背景技術】
【０００２】
従来、特許文献１に開示されているように、浴室と洗面室間の間仕切パネルに、テレビや収納部を設けたものが存在する。
【特許文献１】特開平４−３３９９６９号公報
【発明の開示】
【発明が解決しようとする課題】
【０００３】
しかし、従来では、間仕切壁全体を収納スペースとして利用できるように構成したものはなく、また、従来では、洗面室側に設けた収納部の前に洗面化粧台等が配置されると、収納部が有効に利用できない場合が生ずるという問題点があった。
【課題を解決するための手段】
【０００４】
本発明は上記従来の問題点に鑑み案出したものであって、浴室側または洗面室側のどちらからでも収納部品を設けることができ、また、必要に応じて見栄え良く収納空間を隠すことのできる浴室と洗面室間の間仕切構造を提供せんとするものであり、請求項１では、浴室と洗面室を隔てる間仕切壁に開口を設け、該開口内を桟板を介して複数のブロック状空間に分割し、各ブロック状空間内に収納部品を嵌め込むことができるように構成したことである。
【０００５】
また、請求項２では、前記収納部品に、浴室側空間と洗面室側空間とに仕切る仕切壁を設けたことである。
また、請求項３では、前記ブロック状空間内に、浴室側と洗面室側からそれぞれ収納部品を嵌め込んだことである。
【０００６】
また、請求項４では、浴室と洗面室を隔てる間仕切壁に開口を設け、開口内を桟板を介して複数のブロック状空間に分割し、ブロック状空間内に、浴室内に設けられる機器を浴室側へ向けて嵌め込んだことである。
また、請求項５では、浴室と洗面室を隔てる間仕切壁に開口を設け、開口内を桟板を介して複数のブロック状空間に分割し、ブロック状空間内に、洗面室内に設けられる機器を洗面室側へ向けて嵌め込んだことである。
また、請求項６では、前記間仕切壁の洗面室側の桟板に、洗面室の壁仕上材と同材の壁材を貼着したことである。
【発明の効果】
【０００７】
間仕切壁の開口内を複数のブロック状空間に分割し、各ブロック状空間内に収納部品を嵌め込むことができるように構成したことにより、浴室側または洗面室側のどちらの方向にも収納部品を設けることができ、間仕切壁はブロック状空間に分割されているため、全体の強度を良好に確保できるものとなり、間仕切壁全体を有効な収納空間として利用できるものとなる。
【０００８】
また、収納部品に、浴室側空間と洗面室側空間とに仕切る仕切壁を設けたことにより、一つのブロック状空間において、浴室と洗面室の両方から共に収納部を設けることができ、より有効に収納を確保できるものとなる。
【０００９】
また、ブロック状空間内に、浴室側と洗面室側からそれぞれ収納部品を嵌め込んだことにより、浴室側および洗面室側からそれぞれ収納部品を嵌め込んで、両側の部屋で有効に収納等を確保できるものとなる。
【００１０】
また、間仕切壁の開口内を複数のブロック状空間に分割し、ブロック状空間内に、浴室内に設けられる機器を浴室側へ向けて嵌め込んだことにより、例えば浴室側よりリモコンやテレビ等をブロック状空間内に埋め込んで、すっきりとした状態でテレビ等を設置できるものとなる。
【００１１】
また、間仕切壁の開口内を複数のブロック状空間に分割し、ブロック状空間内に、洗面室内に設けられる機器を洗面室側へ向けて嵌め込んだことにより、洗面室側からリモコン等の機器をすっきりとした状態でブロック状空間内に埋め込んで設置できるものとなる。
【００１２】
また、間仕切壁の洗面室側の桟板に、洗面室の壁仕上材と同材の壁材を貼着したことにより、洗面化粧台等が邪魔となり、洗面室側から利用できないブロック状空間には、洗面室側から壁材を貼着して、この壁材を洗面室の壁仕上材と統一させることで、洗面室の見栄え性を確保できるものとなる。
【実施例】
【００１３】
以下、本発明の実施例を図面に基づいて説明する。
図１は、浴室１と洗面室２を隔てる間仕切壁４を、洗面室２側から見た拡大斜視図であり、浴室１内への出入り口となるドア３の側方に設けられた間仕切壁４には、開口４ａを形成して、この開口４ａ内に、複数枚の横桟木５，５，５と、縦桟木６，６，６を組付けて、開口４ａ内を、複数のブロック状空間Ｓ１，Ｓ１，Ｓ１に分割したものである。
【００１４】
また、図２の間仕切壁４においては、横桟木５と縦桟木６で、開口４ａ内に、複数の横長状のブロック状空間Ｓ２，Ｓ２，Ｓ２を形成させたものである。
このように、間仕切壁４内を複数のブロック状空間Ｓ１，Ｓ２に分割して、各ブロック状空間Ｓ１，Ｓ２内には、種々の収納部品８をそれぞれ嵌め込むことができるように構成したものである。
【００１５】
図３の収納部品８は、前面が開放された箱体８ａ内に、２段の棚８ｂが設けられたものであり、このような収納部品８を、任意のブロック状空間Ｓ１内に、浴室１側からでも、また洗面室２側からでも任意に嵌め込んで棚８ｂを利用できるものである。
【００１６】
また、図４の収納部品８は、前面が開放された箱体８ａに落下防止バー８ｃが設けられたものであり、このような収納部品８を任意のブロック状空間Ｓ１に嵌め込んで、内部にシャンプー，洗剤等の備品を収納できるものである。
【００１７】
また、図５に示すように、箱体８ａにコンセント１５やリモコン，スイッチ１６等を設けた収納部品８を、ブロック状空間Ｓ１内に嵌め込んで利用することもできるものである。
また、図６のように、前面に鏡１７を設けた収納部品８をブロック状空間Ｓ１に嵌め込んで利用することもできるものである。
【００１８】
また更には、図７に示すような、横長状の箱体８ａに横長の落下防止バー８ｃを設けた収納部品８を、ブロック状空間Ｓ２内に嵌め込むとか、または、図１のように縦桟木６を取り外し可能に構成して、ブロック状空間Ｓ１を横長状に変更させて、嵌め込むことができるものである。
【００１９】
また、図８に示すような、縦長状の箱体８ａの内部にタオル掛け１４が設けられた収納部品８を、嵌め込んで利用することもできるものである。
また、図９に示すように、箱体８ａの内部の横方向中央部に、縦方向に仕切壁９を設けた収納部品８を、ブロック状空間Ｓ１に嵌め込んで利用することもでき、この場合は、仕切壁９により、一つのブロック状空間を、浴室側空間と洗面室側空間とに仕切ることができ、浴室１側からでも、また洗面室２側からでも、この仕切壁９を設けた収納部品８内に良好に備品等を収納できるものとなる。
【００２０】
その他、浴室１側から、ブロック状空間Ｓ１またはＳ２内に、テレビやリモコン等の収納部品８を浴室側へ向けて嵌め込むことができ、すっきりとした状態でテレビ等を設置できるものである。さらに、水栓金具や換気乾燥機等の収納部品８も、浴室１側から、何れかのブロック状空間Ｓ１，Ｓ２内に埋め込み状に設置することができる。
また、洗面室２側からも、リモコン等を洗面室２側へ向けて嵌め込み、埋め込み式にブロック状空間Ｓ１またはＳ２内にすっきりとした状態で設置できるものである。
【００２１】
図１０は、浴室１内から見た利用状態の斜視構成図であり、図１０では、浴室１側から、下部のブロック状空間Ｓ１内に、図４に示す収納部品８を嵌め込んで利用しているものであり、上部のブロック状空間Ｓ１は浴室側から閉ざしておくことができるものである。
また、図１１は、洗面室２内から見た利用状態の斜視構成図である。
【００２２】
なお、図１２の縦断面構成図で示すように、一つのブロック状空間Ｓ１またはＳ２内に、浴室１および洗面室２側から、それぞれ厚さ寸法の薄い収納部品８，８を嵌め込んで利用することもできるものである。
【００２３】
なお、洗面室２側に洗面化粧台１３が設置されるような場合には、ブロック状空間Ｓ１，Ｓ２の下部部位等が利用できないこととなるが、この場合は、図１３に示すように、利用しない部分のブロック状空間Ｓ１，Ｓ１，Ｓ１を隠すために、洗面室２側からボード１１をビス１２や釘で桟木５，６に取り付け、更に、このボード１１の表面に壁材１０を貼着して、ブロック状空間Ｓ１，Ｓ１を隠すことができ、壁材１０を、洗面室２内の壁仕上材２ａと同材とすれば、洗面室の壁仕上材２ａと壁材１０が統一されて、洗面室２の見栄え性が向上するものとなる。
【図面の簡単な説明】
【００２４】
【図１】間仕切壁に複数のブロック状空間を形成させた斜視構成図である。
【図２】間仕切壁に横長のブロック状空間を複数形成させた場合の斜視構成図である。
【図３】間仕切壁のブロック状空間内に嵌め込まれる収納部品の一例を示す斜視構成図である。
【図４】更に異なる収納部品の斜視構成図である。
【図５】更に異なる収納部品の斜視構成図である。
【図６】更に異なる収納部品の斜視構成図である。
【図７】横長状に形成した収納部品の斜視構成図である。
【図８】縦長状に形成した収納部品の斜視構成図である。
【図９】仕切壁を設けた収納部品の斜視構成図である。
【図１０】浴室側から見た間仕切壁の利用状態の斜視構成図である。
【図１１】洗面室側から見た間仕切壁の利用状態の斜視構成図である。
【図１２】間仕切壁の縦断面構成図である。
【図１３】洗面室側からボードと壁材を貼り付ける状態の分解斜視構成図である。
【符号の説明】
【００２５】
１  浴室
２  洗面室
２ａ  壁仕上材
３  ドア
４  間仕切壁
４ａ  開口
５  横桟木
６  縦桟木
８  収納部品
８ａ  箱体
８ｂ  棚
８ｃ  落下防止バー
９  仕切壁
１０  壁材
１１  ボード
１３  洗面化粧台
１４  タオル掛け
１５  コンセント
１６  リモコン，スイッチ
１７  鏡
Ｓ１，Ｓ２  ブロック状空間
【図１】
2005068784.tif 000003
【図２】
2005068784.tif 000004
【図３】
2005068784.tif 000005
【図４】
2005068784.tif 000006
【図５】
2005068784.tif 000007
【図６】
2005068784.tif 000008
【図７】
2005068784.tif 000009
【図８】
2005068784.tif 000010
【図９】
2005068784.tif 000011
【図１０】
2005068784.tif 000012
【図１１】
2005068784.tif 000013
【図１２】
2005068784.tif 000014
【図１３】
2005068784.tif 000015